【事件の表示】
　平成　６年特許願第１０２８３８号「チャネルメモリシステムのチャネル配列方法」拒絶査定に対する審判事件［平成　７年　２月２１日出願公開、特開平　７−　５０７８８］について、次のとおり審決する。
【結　論】
　本件審判の請求は、成り立たない。
【理　由】
１　本願発明
　本願は、平成６年５月１７日の出願（パリ条約に基づく優先権主張　１９９３年５月２０日　（ＫＲ）韓国）であって、その請求項２に係る発明（以下、「本願発明」という）は、平成１２年８月３１日、平成１３年２月２７日、平成１５年２月４日、平成１５年６月６日付けの手続補正書により補正された明細書および図面の記載からみて、特許請求の範囲の請求項２に記載された次のとおりのものと認める。
「【請求項２】放送信号に対応する各チャネルを配列し、該配列されたチャネルを自動チャネルメモリシステムに貯蔵し、該自動チャネルメモリシステムから各チャネルを出力する方法であって、
　使用者により選択された特定チャネルの視聴時間をカウントする段階と、
　前記特定チャネル、及び前記カウントされた視聴時間をメモリに貯蔵する段階と、
　所定時間経過後に前記貯蔵された視聴時間によって特定チャネルを配列する段階と、
　該配列された特定チャネルを優先チャネルとして前記メモリに貯蔵する段階と、
　優先チャネルが使用者により選択されると、前記メモリに貯蔵された優先チャネル中、第１順位チャネルに対応する放送信号に同調する段階と、
　チャネルアップ／ダウンキーによりチャネルが選択されると、前記メモリに貯蔵された優先チャネル中、前記第１順位に続くチャネルに対応する放送信号に同調する段階と、
　を順次行うことを特徴とするチャネルメモリシステムのチャネル自動配列方法。」
　
 ２　刊行物発明
 （１）これに対して、当審拒絶理由で引用された、本願の優先日前である平成３年１１月８日に頒布された「特開平３−２５０９１２号公報」（以下、「刊行物１」という）は、「選局装置」に関するものであって、その公報には次の事項が記載されている。
ア　「目的は各チャンネルごとの選局時間を積算して、その積算結果に基づいて使用者の選局操作が軽減されるよう構成した選局装置を提供することにある。」（２頁右上欄１７行ないし２０行）
イ　「演算処理部３５は１チップマイクロコンピュータを用いて、多チャンネルごとの視聴時間を積算する手段、積算時間の多い上位複数のチャンネルを検出する手段、上位複数のチャンネルの中から任意のチャンネルを選局する手段、および、電源投入時に積算時間の最も多いチャンネルを指定する手段等を構成している。」（３頁右上欄１６行ないし左下欄２行）
ウ　「視聴時間の長いチャンネルの中から選局するための機能キー（以下リコールキーと記す）が押下されると、演算処理部３５は上位複数のチャンネル番号（または予め登録した放送局内）と、そのチャンネルを選択するのに必要な選択番号に係るデータ、すなわち、選局のための情報ＤをＣＲＴ表示制御部３８へ出力し、ＲＧＢドライブ回路６を介してＣＲＴ７へこれらの情報を画面表示させる。」（３頁右下欄５行ないし１２行）
エ　「演算処理部３５を構成する１チップマイクロコンピュータのＲＡＭ内に、チャンネル番号と視聴時間積算に係るデータを格納するカウンタ領域（以下カウンタと記す）ＣＮＴ１〜ＣＮＴ７を７チャンネル分と第１の補助カウンタＣＮＴ８の領域確保するとともに、各カウンタＣＮＴ１〜ＣＮＴ７の視聴時間積算に（以下カウンタ値と記す）に係るデータが増加し続けるのを防止し、所定の時間毎にそのデータを減少させるための第２の補助カウンタＣＮＴ９の領域を確保し、さらに、１チップマイクロコンピュータ内のクロックもしくは外部クロックに基づいて経過時間を計数するタイマを構成していることを前提に説明する。・・・（中略）・・・演算処理部３５は、チャンネルが変更されるたびにタイマをクリアし（Ｓ１，Ｓ２）、同一チャンネルの選局継続時間が予め設定した時間（例えば１５分とか３０分）に達すると（Ｓ３）、ステップＳ４以降の積算処理へ突入する。
　演算処理部３５はステップＳ４で、現在視聴しているチャンネルが既に登録されているかの判断を行ない、既登録の場合はステップＳ５以降の処理へ、未登録の場合はステップＳ１０へ移行する。
　ステップＳ１０は、未登録のカウンタがあるか否かの判断を行なう。未登録のカウンタがある場合には、ステップＳ１１で、そのカウンタ（ＣＮＴ１〜７中のいずれか１つ）へ、チャンネル番号を登録するとともに、カウンタ値として１をセットする。」（４頁左上欄１３行ないし左下欄５行、第３図）
オ　「積算処理へ突入したステップＳ４で、現在視聴しているチャンネルが既に登録されている場合には、ステップ５で該当するカウンタのカウンタ値（積算時間に係るデータ）を＋１（インクリメント）する。」（４頁右下欄４行ないし８行、第３図）
カ　「ステップＳ４から種々分岐する積算処理（Ｓ４〜Ｓ１６）を行ない、ステップ１７でタイマを０（クリア）にした後、前述のステップＳ１〜Ｓ３からなるタイマ処理へ戻り、第３図に示す視聴時間積算動作を繰り返す。」（５頁右上欄１４行ないし１８行、第３図）
キ　「以上の構成であるから、視聴状態に対応して良く観る複数のチャンネルが自動的に登録・更新され・・・（中略）・・・。
　次に、複数のチャンネルの中から上位数チャンネルをスキャンさせながら選局する場合について説明する。
　この場合、操作部３４内のスキャンキーもしくはリコールキーが押下されると、演算処理部３５は、各カウンタＣＮＴ１〜ＣＮＴ７のカウント値を比較し、例えば上位３つのチャンネルを検出し、検出したチャンネルが予め設定した時間間隔で順次繰り返し選局されるよう選局情報Ｃを出力する（選局スキャン動作）よう構成する。選局スキャンの順序は、積算時間の多いチャンネルの順に行なってもよいし・・・（中略）・・・。
　このような構成にすることにより、ＣＲＴ７の画面には第５図に示すように、上位複数のチャンネルが適当な時間間隔で再生される。」（５頁左下欄１５行ないし右下欄１８行、第５図）
ク　これらの記載事項からして、刊行物１には、「各チャンネルごとの選局時間を積算して、その積算結果に基づいて使用者の選局操作が軽減されるよう構成した選局装置であって、
　演算処理部３５は１チップマイクロコンピュータを用いて、多チャンネルごとの視聴時間を積算する手段、積算時間の多い上位複数のチャンネルを検出する手段、上位複数のチャンネルの中から任意のチャンネルを選局する手段、および、電源投入時に積算時間の最も多いチャンネルを指定する手段等を構成し、
　視聴時間の長いチャンネルの中から選局するための機能キー（以下リコールキーと記す）が押下されると、演算処理部３５は上位複数のチャンネル番号（または予め登録した放送局内）と、そのチャンネルを選択するのに必要な選択番号に係るデータ、すなわち、選局のための情報ＤをＣＲＴ表示制御部３８へ出力し、ＲＧＢドライブ回路６を介してＣＲＴ７へこれらの情報を画面表示させ、
　演算処理部３５を構成する１チップマイクロコンピュータのＲＡＭ内に、チャンネル番号と視聴時間積算に係るデータを格納するカウンタ領域（以下カウンタと記す）ＣＮＴ１〜ＣＮＴ７を７チャンネル分と第１の補助カウンタＣＮＴ８の領域確保するとともに、各カウンタＣＮＴ１〜ＣＮＴ７の視聴時間積算に（以下カウンタ値と記す）に係るデータが増加し続けるのを防止し、所定の時間毎にそのデータを減少させるための第２の補助カウンタＣＮＴ９の領域を確保し、さらに、１チップマイクロコンピュータ内のクロックもしくは外部クロックに基づいて経過時間を計数するタイマを構成しており、
　演算処理部３５は、チャンネルが変更されるたびにタイマをクリアし（Ｓ１，Ｓ２）、同一チャンネルの選局継続時間が予め設定した時間（例えば１５分とか３０分）に達すると（Ｓ３）、ステップＳ４以降の積算処理へ突入し、
　演算処理部３５はステップＳ４で、現在視聴しているチャンネルが既に登録されているかの判断を行ない、既登録の場合はステップＳ５以降の処理へ、未登録の場合はステップＳ１０へ移行し、
　ステップＳ１０は、未登録のカウンタがあるか否かの判断を行ない、未登録のカウンタがある場合には、ステップＳ１１で、そのカウンタ（ＣＮＴ１〜７中のいずれか１つ）へ、チャンネル番号を登録するとともに、カウンタ値として１をセットし、
　積算処理へ突入したステップＳ４で、現在視聴しているチャンネルが既に登録されている場合には、ステップ５で該当するカウンタのカウンタ値（積算時間に係るデータ）を＋１（インクリメント）し、
　ステップＳ４から種々分岐する積算処理（Ｓ４〜Ｓ１６）を行ない、ステップ１７でタイマを０（クリア）にした後、前述のステップＳ１〜Ｓ３からなるタイマ処理へ戻り、視聴時間積算動作を繰り返し、
　視聴状態に対応して良く観る複数のチャンネルが自動的に登録・更新され、
　操作部３４内のスキャンキーもしくはリコールキーが押下されると、演算処理部３５は、各カウンタＣＮＴ１〜ＣＮＴ７のカウント値を比較し、例えば上位３つのチャンネルを検出し、検出したチャンネルが予め設定した時間間隔で順次繰り返し選局されるよう選局情報Ｃを出力する（選局スキャン動作）よう構成し、選局スキャンの順序は、積算時間の多いチャンネルの順に行なってもよく、
　ＣＲＴ７の画面には、上位複数のチャンネルが適当な時間間隔で再生される、
選局装置」（以下「刊行物発明」という）が記載されていると認められる。
　
３　本願発明と刊行物発明との対比
　本願発明と刊行物発明を対比すると、
（１）刊行物発明の「チャンネル」は本願発明の「チャネル」に相当し、刊行物発明は、「演算処理部３５を構成する１チップマイクロコンピュータのＲＡＭ内に、チャンネル番号と視聴時間積算に係るデータを格納するカウンタ領域（以下カウンタと記す）ＣＮＴ１〜ＣＮＴ７を７チャンネル分と第１の補助カウンタＣＮＴ８の領域確保」し、「操作部３４内のスキャンキーもしくはリコールキーが押下されると、演算処理部３５は、各カウンタＣＮＴ１〜ＣＮＴ７のカウント値を比較し、例えば上位３つのチャンネルを検出し、検出したチャンネルが予め設定した時間間隔で順次繰り返し選局されるよう選局情報Ｃを出力する（選局スキャン動作）よう構成し、選局スキャンの順序は、積算時間の多いチャンネルの順に行なってもよ」いものである。
　したがって、刊行物発明は、マイクロコンピュータが、ＲＡＭすなわちメモリ（のカウンタ領域）にチャンネル番号と視聴時間積算に係るデータを格納（貯蔵）し、放送信号に対応する各チャンネルを積算時間の多い順に自動的に配列して選局・出力するといえるから、結局、本願発明とは「放送信号に対応する各チャネルを配列し、該配列されたチャネルを自動チャネルメモリシステムに貯蔵し、該自動チャネルメモリシステムから各チャネルを出力する方法」である点および「チャネルメモリシステムのチャネル自動配列方法」である点で一致している。
　また、刊行物発明は、「視聴状態に対応して良く観る複数のチャンネルが自動的に登録・更新され」るものであり、使用者が選択して視聴したチャンネル（特定チャンネル）を登録し、「現在視聴しているチャンネルが既に登録されている場合には、該当するカウンタのカウンタ値（積算時間に係るデータ）を＋１（インクリメント）し、タイマ処理へ戻り、視聴時間積算動作を繰り返」し、視聴時間をカウントするから、刊行物発明は、「使用者により選択された特定チャネルの視聴時間をカウントする段階」に相当する段階を有している。
　そして、上記のごとく、刊行物発明は、「１チップマイクロコンピュータのＲＡＭ内に、チャンネル番号と視聴時間積算に係るデータを格納するカウンタ領域（以下カウンタと記す）ＣＮＴ１〜ＣＮＴ７を７チャンネル分と第１の補助カウンタＣＮＴ８の領域確保」して（特定）チャンネル番号と積算された視聴時間をメモリに格納（貯蔵）するものであるから、本願発明とは「前記特定チャネル、及び前記カウントされた視聴時間をメモリに貯蔵する段階」を有する点で一致している。
　また、刊行物発明は「演算処理部３５は、チャンネルが変更されるたびにタイマをクリアし、同一チャンネルの選局継続時間が予め設定した時間（例えば１５分とか３０分）に達すると、ステップＳ４以降の積算処理へ突入」し、「現在視聴しているチャンネルが既に登録されている場合には、該当するカウンタのカウンタ値（積算時間に係るデータ）を＋１（インクリメント）し、タイマ処理へ戻り、視聴時間積算動作を繰り返」し、「ステップＳ４から種々分岐する積算処理を行ない、タイマを０（クリア）にした後、タイマ処理へ戻り、視聴時間積算動作を繰り返」すものであり、さらに上記のごとく、マイクロコンピュータが、ＲＡＭすなわちメモリ（のカウンタ領域）にチャンネル番号と視聴時間積算に係るデータを格納（貯蔵）し、放送信号に対応する各チャンネルを積算時間の多い順に自動的に配列して選局・出力するといえるから、本願発明の「所定時間経過後に前記貯蔵された視聴時間によって特定チャネルを配列する段階」に相当する段階を有している。
　そして、刊行物発明も、本願発明の上記各段階に相当する段階を順次行っているといえる。
（２）したがって、両者は「放送信号に対応する各チャネルを配列し、該配列されたチャネルを自動チャネルメモリシステムに貯蔵し、該自動チャネルメモリシステムから各チャネルを出力する方法であって、使用者により選択された特定チャネルの視聴時間をカウントする段階と、前記特定チャネル、及び前記カウントされた視聴時間をメモリに貯蔵する段階と、所定時間経過後に前記貯蔵された視聴時間によって特定チャネルを配列する段階と、を順次行うことを特徴とするチャネルメモリシステムのチャネル自動配列方法。」である点で一致し、次の点で相違しているものと認められる。
ア　本願発明が「配列された特定チャネルを優先チャネルとしてメモリに貯蔵する段階と、優先チャネルが使用者により選択されると、前記メモリに貯蔵された優先チャネル中、第１順位チャネルに対応する放送信号に同調する段階と、チャネルアップ／ダウンキーによりチャネルが選択されると、前記メモリに貯蔵された優先チャネル中、前記第１順位に続くチャネルに対応する放送信号に同調する段階とを順次行う」ものであるのに対し、刊行物発明は、「操作部３４内のスキャンキーもしくはリコールキーが押下されると、演算処理部３５は、各カウンタＣＮＴ１〜ＣＮＴ７のカウント値を比較し、例えば上位３つのチャンネルを検出し、検出したチャンネルが予め設定した時間間隔で順次繰り返し選局されるよう選局情報Ｃを出力する（選局スキャン動作）よう構成し、選局スキャンの順序は、積算時間の多いチャンネルの順に行なってもよ」いものである点
　
４　相違点についての検討
（１）相違点アについて
　刊行物発明の、（使用者による）スキャンキーもしくはリコールキーの押下が、本願発明の優先チャネルの使用者による選択に相当するものであり、刊行物発明は、その押下により各カウンタのカウント値を演算処理部が比較してスキャン表示（順次表示）するチャネルを検出しているものであり、優先チャネルとして別途メモリに貯蔵してはいないものの、表示すべきチャネルはその順序が決定把握された状態で保持され、それにより積算時間の多いチャネルの順に表示することができるものと解される。
　してみると、両者とも、第１順位のチャネルがまず表示され、以後積算時間（カウント値）の多い順に表示されることとなる点でかわりないのであり、メモリにデータを貯蔵することも普通に行われていることに過ぎないものであるから、前記保持の態様として、別途メモリに保持（貯蔵）するか、あるいは、比較結果として保持するかの違いは個々の実施態様において適宜なしうる設計的事項程度のものである。
　また、チャネルアップ／ダウンキーはチャネルの切換・選択装置として周知であり、刊行物発明の（自動）順次表示（スキャン表示）を、本願発明は、単に上記キーにより手動で行っているにすぎないものであり、当業者が容易に推考できたものである。
　さらに、これらの段階を順次行うことに格別創意工夫があるとはいえない。
　そして、これらを総合的に考慮しても、上記相違点は、当業者が容易に推考できたものであり、また、上記相違点に基づく本願発明の効果に格別顕著なものは認められない。
　
５　出願人の主張
　出願人は意見書において、いずれの刊行物にも「チャネルアップ／ダウンキーによりチャネルが選択されると、前記メモリに貯蔵された優先チャネル中、前記第１順位に続くチャネルに対応する放送信号に同調する方法」は記載されていないと主張している。
　しかしながら、この点は、刊行物発明の自動順次表示を周知のチャネルアップ／ダウンキーにより手動で行っているにすぎないものであり、当業者にとって容易に推考しえた程度のものであるから、この主張は採用できない。
　
６　むすび
　したがって、本願発明は、刊行物に記載された発明に基いて当業者が容易に発明をすることができたものであるので、請求項１，３について検討するまでもなく、特許法第２９条第２項の規定により特許を受けることができない。
　よって、結論のとおり審決する。